【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
血管内超音波システムのためのカテーテルアセンブリであって、前記カテーテルアセンブリは、
長手部分、遠位端、および近位端を有し、前記長手部分に沿って前記近位端から前記遠位端まで延出する内腔を備えるカテーテルと、
前記カテーテルの前記長手部分よりも短い長手部分を備え、前記内腔の中へ前記カテーテルの遠位端まで挿入するために構成されかつ配置されているイメージングコアであって、
遠位端と近位端とを有する回転可能な駆動軸と、
この駆動軸の前記遠位端に配置され、かつ同遠位端に連結されているとともに、印加された電気信号を音響信号へ変換するために、また、受信したエコー信号を電気信号へ変換するために、構成されかつ配置されている少なくとも１つの回転可能な変換器と、
前記駆動軸の前記近位端に配置された変圧器と、
前記少なくとも１つの変換器を前記変圧器へ連結する少なくとも１つのイメージングコア導体と、
前記１つ以上の変換器と前記変圧器との間で前記駆動軸へ連結され、回転可能な磁石と、この磁石の少なくとも一部の周りに配置された少なくとも２つの磁界巻線とを備えるモータであって、前記磁石が、長手方向軸と、前記磁石の前記長手方向軸に沿って画定された開口と、を有するモータと、
を備えるイメージングコアと、
前記変圧器に電気的に接続されているとともに、前記カテーテルの前記近位端まで延出している少なくとも１つのカテーテル導体と、
前記磁界巻線に電気的に接続されているとともに、前記カテーテルの前記近位端まで延出している少なくとも１つのモータ導体と、
を備え、
前記アセンブリはミラーを備えていない、カテーテルアセンブリ。
【請求項２】
前記イメージングコアは検出装置をさらに備え、この検出装置は前記磁石の角度位置を検出するために構成されかつ配置されている、請求項１に記載のカテーテルアセンブリ。
【請求項３】
前記検出装置は、前記磁界巻線へ印加された電流の量を前記磁石の前記受信した角度位置を用いて制御するために構成されかつ配置されている、請求項２に記載のカテーテルアセンブリ。
【請求項４】
前記カテーテルは、１ミリメートル以下の横径を有する、請求項１から３のいずれか一項に記載のカテーテルアセンブリ。
【請求項５】
前記少なくとも１つのイメージングコア導体あるいは前記駆動軸のうちの少なくとも一方は、前記磁石の前記開口を通って延出している、請求項１から４のいずれか一項に記載のカテーテルアセンブリ。
【請求項６】
前記変圧器は、回転構成要素と、この回転構成要素から間隔をおいて配置された静止構成要素とを備え、前記回転構成要素は、前記少なくとも１つのイメージングコア導体と電気的に接続され、前記静止構成要素は、前記少なくとも１つのカテーテル導体と電気的に接続されている、請求項１から５のいずれか一項に記載のカテーテルアセンブリ。
【請求項７】
前記磁石は、ハウジングの中に配置されている、請求項１から６のいずれか一項に記載のカテーテルアセンブリ。
【請求項８】
前記ハウジングは、前記磁石が作動角速度で回転するときに、前記磁石を浮上させるのに充分に高い導電性を有する導電性材料から形成されている、請求項７に記載のカテーテルアセンブリ。
【請求項９】
前記磁界巻線は、薄膜の上に配置されている、請求項７または８に記載のカテーテルアセンブリ。
【請求項１０】
前記薄膜は、前記ハウジングの上に配置されている、請求項９に記載のカテーテルアセンブリ。
【請求項１１】
血管内超音波イメージングシステムであって、前記血管内超音波イメージングシステムは、
請求項１から１０のいずれか一項に記載のカテーテルアセンブリと、
前記イメージングコアに連結された制御モジュールと、
を含み、前記制御モジュールは、
電気信号を前記少なくとも１つの変換器へもたらすために構成されかつ配置されて、前記１つ以上の導体および前記変圧器を介して前記少なくとも１つの変換器に電気的に接続されたパルス発生器と、
少なくとも１つの画像を形成するために前記少なくとも１つの変換器から受信した電気信号を処理するために構成されかつ配置されて、前記１つ以上の導体を介して前記少なくとも１つの変換器に電気的に接続されたプロセッサと、
を含む、血管内超音波イメージングシステム。
【請求項１２】
血管内超音波システムのためのカテーテルアセンブリであって、前記カテーテルアセンブリは、
長手部分、遠位端、および近位端を有し、前記長手部分に沿って前記近位端から前記遠位端まで延出する内腔を備えるカテーテルと、
前記カテーテルの前記長手部分よりも短い長手部分を備え、前記内腔の中へ前記カテーテルの遠位端まで挿入するために構成されかつ配置されているイメージングコアであって、
回転可能な磁石と、この磁石の少なくとも一部の周りに配置された少なくとも２つの磁界巻線とを備えるモータであって、前記磁石が、長手方向軸と、前記磁石の前記長手方向軸に沿って画定された開口とを有するモータと、
該イメージングコアの中に配置され、印加された電気信号を音響信号へ変換するために、また、受信したエコー信号を電気信号へ変換するために、構成されかつ配置され、さらに、前記磁石とともに回転しないように定位置に固定されている少なくとも１つの変換器と、
前記少なくとも１つの変換器の遠位に位置決めされたミラーであって、該ミラーは、音響ビームが前記少なくとも１つの変換器から該ミラーまで放射されたときに、その音響ビームが前記磁石の前記長手方向軸に対して平行でない方向に方向を変えるような角度で傾けられているとともに、前記磁石の回転によって回転するミラーと、
を備えるイメージングコアと、
前記１つ以上の変換器に電気的に接続されているとともに、前記カテーテルの前記近位端まで延出している少なくとも１つのカテーテル導体と、
前記磁界巻線に電気的に接続されているとともに、前記カテーテルの前記近位端まで延出している少なくとも１つのモータ導体と、
を備えてなり、
前記少なくとも１つの変換器は、前記磁石の中に画定された前記開口の中に配置されている、カテーテルアセンブリ。
【請求項１３】
前記磁界巻線のそれぞれは、導電性材料からなる単一巻回を備える、請求項１２に記載のカテーテルアセンブリ。
【請求項１４】
前記ミラーは非平面状の反射面を備える、請求項１２または１３に記載のカテーテルアセンブリ。
【請求項１５】
前記少なくとも１つの変換器は複数の環帯を備え、少なくとも１つの環帯が、少なくとも１つの他の環帯とは異なる周波数で共振するように構成されかつ配置されている、請求項１２から１４のいずれか一項に記載のカテーテルアセンブリ。
【請求項１６】
前記ミラーは、前記磁石の中に画定された前記開口の中に配置されている、請求項１２から１５のいずれか一項に記載のカテーテルアセンブリ。
【請求項１７】
前記磁石は、前記少なくとも１つの変換器から放射され、かつ、前記ミラーから方向を変えられた音響信号を送信する切欠を画定している、請求項１２から１６のいずれか一項に記載のカテーテルアセンブリ。
【請求項１８】
前記少なくとも１つの変換器および前記ミラーは、流体で満たされた領域の中に配置されている、請求項１２から１７のいずれか一項に記載のカテーテルアセンブリ。
【請求項１９】
前記磁石は、強磁性流体によって少なくとも部分的に取り囲まれている、請求項１８に記載のカテーテルアセンブリ。
【請求項２０】
血管内超音波システムのためのカテーテルアセンブリであって、前記カテーテルアセンブリは、
長手部分、遠位端、および近位端を有し、前記長手部分に沿って前記近位端から前記遠位端まで延出する内腔を備えるカテーテルと、
前記カテーテルの前記長手部分よりも短い長手部分があり、前記内腔の中へ前記カテーテルの遠位端まで挿入するために構成されかつ配置されているイメージングコアであって、
ハウジングの中に遠位端キャップとともに配置され、回転可能なモータ磁石と、このモータ磁石の少なくとも一部の周りに配置された少なくとも２つの磁界巻線とを備えるモータであって、前記磁石が、長手方向軸と、前記モータ磁石の前記長手方向軸に沿って配置されたモータ軸とを有するモータと、
該イメージングコアの中に配置され、印加された電気信号を音響信号へ変換するために、また、受信したエコー信号を電気信号へ変換するために、構成されかつ配置され、さらに、前記モータ磁石とともに回転しないように定位置に固定されている少なくとも１つの変換器と、
反射面を有するミラー磁石を備える方向を変えるためのミラーであって、該ミラーは、前記少なくとも１つの変換器の近位に位置決めされ、前記反射面は、音響ビームが前記少なくとも１つの変換器から前記反射面まで放射されたときに、その音響ビームが前記モータ磁石の前記長手方向軸に対して平行でない方向に方向を変えるような角度で傾斜しており、前記ミラー磁石および前記モータ磁石は、前記モータ磁石の回転が該ミラーを回転させるように、前記端キャップ内で磁気的に連結されている、方向を変えるためのミラーと、
を備えるイメージングコアと、
前記少なくとも１つの変換器に電気的に接続されているとともに、前記カテーテルの前記近位端まで延出している少なくとも１つの変換器導体と、
前記磁界巻線に電気的に接続されているとともに、前記カテーテルの前記近位端まで延出している少なくとも１つのモータ導体と、
を備えてなる、カテーテルアセンブリ。
【請求項２１】
前記少なくとも１つの変換器は、変換器軸を介して前記端キャップへ連結されている、請求項２０に記載のカテーテルアセンブリ。
【請求項２２】
前記イメージングコアは、このイメージングコアの近位端に配置された支持ハブをさらに備える、請求項２０または２１に記載のカテーテルアセンブリ。
【請求項２３】
前記モータ軸は、前記支持ハブから前記端キャップまで延出している、請求項２２に記載のカテーテルアセンブリ。
【請求項２４】
前記ハウジングは、少なくとも部分的に真空排気されている、請求項２０から２３のいずれか一項に記載のカテーテルアセンブリ。
【請求項２５】
血管内超音波システムのためのカテーテルアセンブリであって、前記カテーテルアセンブリは、
長手部分、遠位端、および近位端を有し、前記長手部分に沿って前記近位端から前記遠位端まで延出する内腔を備えるカテーテルと、
前記カテーテルの前記長手部分よりも短い長手部分があり、前記内腔の中へ前記カテーテルの遠位端まで挿入するために構成されかつ配置されているイメージングコアであって、
ハウジングの中に遠位端キャップとともに配置され、回転可能な磁石と、この磁石の少なくとも一部の周りに配置された少なくとも２つの磁界巻線とを備えるモータであって、前記磁石がそれに沿って回転する長手方向軸を有するモータと、
該イメージングコアの中に配置された回転可能な少なくとも１つの変換器であって、該少なくとも１つの変換器は変換器磁石を備え、該少なくとも１つの変換器は、印加された電気信号を音響信号へ変換するために、また、受信したエコー信号を電気信号へ変換するために、構成されかつ配置され、さらに、前記変換器磁石および前記モータ磁石は、前記モータ磁石の回転が該少なくとも１つの変換器を前記モータ磁石とともに回転させるように、前記端キャップ内で磁気的に連結されている、回転可能な少なくとも１つの変換器と、
前記少なくとも１つの変換器と電気的に接続された変圧器と、
を備えるイメージングコアと、
前記変圧器と電気的に接続されているとともに、前記カテーテルの前記近位端まで延出している少なくとも１つの変換器導体と、
前記磁界巻線と電気的に接続されているとともに、前記カテーテルの前記近位端まで延出している少なくとも１つのモータ導体と、
を備えてなる、カテーテルアセンブリ。
【請求項２６】
前記変圧器は、静止構成要素と、この静止構成要素から間隔をおいて配置された回転構成要素とを備え、前記静止構成要素は前記端キャップの中に配置され、前記回転構成要素は前記少なくとも１つの変換器の中に配置されている、請求項２５に記載のカテーテルアセンブリ。